(57)【要約】【課題】本発明は、１個の共通モータによって位置決めとネジ締めを選択的に行うことにより、小型化及び構成の簡略化を得ることを目的とする。【解決手段】本発明によるネジ締め装置は、機構切替部(20)によりネジ締め部(3)と位置決め部(22)を選択することにより、１個の共通モータ(6)の回転をネジ締め用か位置決め用かの何れかに切り替えることができ、１個の共通モータ(6)によってネジ締めと位置決めの両方を選択的に行うことができる構成である。【選択図】図１
2005131741.tif 000002
【特許請求の範囲】
【請求項１】
シーケンサ(2)に接続され機構切替部(20)を有するネジ締め制御部(21)と、前記機構切替部(20)に接続されたネジ締め部(3)及び位置決め部(22)と、前記位置決め部(22)に接続されたＸＹ移動機構及び昇降機構(5)と、前記ネジ締め部(3)及び位置決め部(22)によって行われるネジ締めと位置決め動作の何れかを選択的に行うための１個の共通モータ(6)とを備え、前記共通モータ(6)により前記ネジ締め部(3)又は前記ＸＹ移動機構及び昇降機構(5)を駆動するように構成したことを特徴とするネジ締め装置。
【請求項２】
前記ネジ締め部(3)と共通モータ(6)との間には、ネジ締め用回転伝達手段(31)とネジ締め用クラッチ(30)とが設けられており、前記ＸＹ移動機構及び昇降機構(5)と前記共通モータ(6)との間には、位置決め用回転伝達手段(33)と位置決め用クラッチ(32)とが設けられていることを特徴とする請求項１記載のネジ締め装置。
【請求項３】
ＸＹ移動機構及び昇降機構(5)によって位置決め移動するネジ締め部によりネジ(11)を締めるようにしたネジ締め方法において、前記位置決め及びネジ締めの動作を１個の共通モータによって選択的に行うことを特徴とするネジ締め方法。
【発明の詳細な説明】
【技術分野】
【０００１】
本発明は、ネジ締め装置及び方法に関し、特に、１個の共通モータを用いてネジ締め動作と位置決め動作を選択的に行い、装置自体の構成を小型かつ簡略化するための新規な改良に関する。
【背景技術】
【０００２】
従来、用いられていたこの種のネジ締め装置としては、社内製作であるため、特許文献等は特に開示していないが、ネジ締め部と移動機構は各々専用のモータによって駆動するように構成されていた。
【０００３】
本出願人が社内製作していたネジ締め装置１は、一例として、図２及び図３で示される通りであった。
すなわち、図２で示されるネジ締め装置１は、シーケンサ２と、このシーケンサ２に接続されたネジ締め部３及びＸＹＺ軸コントローラ４と、前記ＸＹＺ軸コントローラ４に接続されたＸＹＺ軸機構５と、前記ネジ締め部３に接続された第１モータ６と、前記ＸＹＺ軸機構５に接続された第２モータ７及びアクチュエータ８とにより構成されている。
【０００４】
前記ネジ締め部３及びＸＹＺ軸機構５は、図３に示されるように、その概略構成が開示されている。
従って、前記ＸＹＺ軸機構５をＸＹＺ軸コントローラ４によって制御して位置決めすると共に、ネジ締め部３を作動させることによって、対象物１０のネジ１１をネジ締めすることができる。
【発明の開示】
【発明が解決しようとする課題】
【０００５】
従来のネジ締め装置は、以上のように構成されていたため、次のような課題が存在していた。
すなわち、ネジ締め部と移動機構とに、各々専用のモータを用いていたため、モータが２個必要であると共に、形状も大型化し、付帯する各種制御系も複雑化していた。
そのため、製作に多大のコストを必要とすると共に、メンテナンスにおいてもその作業は容易ではなかった。
【課題を解決するための手段】
【０００６】
本発明によるネジ締め装置は、シーケンサに接続され機構切替部を有するネジ締め制御部と、前記機構切替部に接続されたネジ締め部及び位置決め部と、前記位置決め部に接続されたＸＹ移動機構及び昇降機構と、前記ネジ締め部及び位置決め部によって行われるネジ締めと位置決め動作の何れかを選択的に行うための１個の共通モータとを備え、前記共通モータにより前記ネジ締め部又は前記ＸＹ移動機構及び昇降機構を駆動するようにした構成であり、また、前記ネジ締め部と共通モータとの間には、ネジ締め用回転伝達手段とネジ締め用クラッチとが設けられており、前記ＸＹ移動機構及び昇降機構と前記共通モータとの間には、位置決め用回転伝達手段と位置決め用クラッチとが設けられている構成であり、また、本発明によるネジ締め方法は、ＸＹ移動機構及び昇降機構によって位置決め移動するネジ締め部によりネジを締めるようにしたネジ締め方法において、前記位置決め及びネジ締めの動作を１個の共通モータによって選択的に行う方法である。
【発明の効果】
【０００７】
本発明によるネジ締め装置は、以上のように構成されているため、次のような効果を得ることができる。
すなわち、共通モータを用いてネジ締め動作と位置決め動作を行っているため、モータが１個で済み、かつ、装置自体の形状の小型化が可能で、電気系等の簡略化が可能となる。
【発明を実施するための最良の形態】
【０００８】
本発明は、１個の共通モータを用いてネジ締め動作と位置決め動作を行い、小型化及び電気系の簡略化を実現することを目的とする。
【実施例】
【０００９】
以下、図面と共に本発明によるネジ締め装置の好適な実施の形態について説明する。
尚、従来例と同一又は同等部分には同一符号を付して説明する。
図１において、符号１で示されるものはネジ締め装置１であり、このネジ締め装置１のシーケンサ２は、機構切替部２０を有するネジ締め制御部２１に接続され、この機構切替部２０はネジ締め部３及び位置決め部２２に接続されている。
【００１０】
前記ネジ締め部３は、ネジ締め用駆動回路２３による駆動制御を受けることができるように構成され、前記位置決め部２２はＸＹ移動機構及び昇降機構５を制御することができるように周知の３次元位置決め制御回路で構成されている。
尚、このＸＹ移動機構及び昇降機構５は、後述の共通モータ６の他にアクチュエータを用いて駆動される構成である。
【００１１】
前記ネジ締め用駆動回路２３及び位置決め部２２からの駆動信号２３ａ、２２ａは、１個のみの共通モータ６を駆動することができるように構成されている。
前記共通モータ６の回転は、ネジ締め用クラッチ３０及びネジ締め用回転伝達手段３１を介してネジ締め部３に伝達され、さらに、位置決め用クラッチ３２及び位置決め用回転伝達手段３３を介してＸＹ移動機構及び昇降機構５に伝達されるように構成されている。
【００１２】
次に、動作について説明する。まず、予めプログラムが設定されたシーケンサ２によってネジ締め制御部２１を制御し、機構切替部２０を介して位置決め部２２を選択した場合、ネジ締め用クラッチ３０がオフとなると共に位置決め用クラッチ３２がオンとなり、共通モータ６の回転が位置決め用回転伝達手段３３を介してＸＹ移動機構及び昇降機構５に伝達され、ネジ締め部３の位置決めが行われる。
【００１３】
前述の位置決め後に、シーケンサ２からの指令によって機構切替部２０を介してネジ締め部３が選択されると、駆動信号２３ａによる共通モータ６の回転はネジ締め用クラッチ３０及びネジ締め用回転伝達手段３１を介してネジ締め部３の駆動が行われ、図３のように、対象物１０のネジ１１の締めが行われる。
【産業上の利用可能性】
【００１４】
本発明は、ネジ締めに限らず、減速機構を介して伝達可能な工作機の２系統の駆動にも適用可である。
【図面の簡単な説明】
【００１５】
【図１】本発明によるネジ締め装置を示すブロック図である。
【図２】従来のネジ締め装置を示すブロック図である。
【図３】図２の要部を示す斜視図である。
【符号の説明】
【００１６】
１    ネジ締め装置
２    シーケンサ
３    ネジ締め部
５    ＸＹ移動機構及び昇降機構
６    共通モータ
２０    機構切替部
２１    ネジ締め制御部
２２    位置決め部
３０    ネジ締め用クラッチ
３１    ネジ締め用回転伝達手段
３２    位置決め用クラッチ
３３    位置決め用回転伝達手段
【図１】
2005131741.tif 000003
【図２】
2005131741.tif 000004
【図３】
2005131741.tif 000005